【手続補正書】
【提出日】平成26年11月20日(2014.11.20)
【手続補正１】
【補正対象書類名】特許請求の範囲
【補正対象項目名】全文
【補正方法】変更
【補正の内容】
【特許請求の範囲】
【請求項１】
ＣＴスキャンフレーム（１００）に用いられる自己調整軸受（２００）であって、
前記自己調整軸受（２００）は、前記ＣＴスキャンフレーム（１００）の主フレーム（１０２）に取り付けられて、前記ＣＴスキャンフレーム（１００）の回転ドラム（１０４）を支持し、
前記自己調整軸受（２００）は、ローラー（２０２）と第一部材と第二部材とを有し、前記ローラーは、前記回転ドラム（１０４）を支持しかつ前記第一部材に回転可能に取り付けられ、前記第二部材は、前記主フレーム（１０２）に取り付けられ、前記第一部材と前記第二部材とは、前記自己調整軸受（２００）を取り付ける際に相互相対に回転するように回転可能にマッチングされ、
前記第一部材と前記第二部材との中の一つが凸型ブロック（２１０）を含み、
前記第一部材と前記第二部材との中の別の一つが凹型ブロック（２４０）を含み、
前記凸型ブロック（２１０）は、第一突出部（２２０）、第二突出部（２２２）及びその間に位置する第三凹入部（２２４）を有し、
前記凹型ブロック（２４０）は、第一凹入部（２４６）、第二凹入部（２４８）及びその間に位置する第三突出部（２４４）を有し、
前記凸型ブロック（２１０）の第一突出部（２２０）及び第二突出部（２２２）は、それぞれ前記凹型ブロック（２４０）の第一凹入部（２４６）及び第二凹入部（２４８）に受け入れたれるように構成され、
前記凸型ブロック（２１０）の第三凹入部（２２４）は、前記凹型ブロック（２４０）の第三突出部（２４４）を受け入れるように構成される、ことを特徴とするＣＴスキャンフレームに用いられる自己調整軸受（２００）。
【請求項２】
前記第一部材の回転軸は、前記ローラー（２０２）の回転軸線と略垂直又は平行することを特徴とする請求項１に記載の自己調整軸受（２００）。
【請求項３】
前記第一部材の上部に第一支持アーム（２１２）と第二支持アーム（２１４）とを有し、前記ローラー（２０２）は、第一取付け部材（２０４）を回って回転可能に前記第一支持アーム（２１２）と第二支持アーム（２１４）との間に取り付けられることを特徴とする請求項１または２に記載の自己調整軸受（２００）。
【請求項４】
前記第一突出部（２２０）、前記第二突出部（２２２）及び前記第三突出部（２４４）は、それぞれ前記第一支持アーム（２１２）と前記第二支持アーム（２１４）とに略垂直又は平行するように延びることを特徴とする請求項３に記載の自己調整軸受（２００）。
【請求項５】
前記第一突出部（２２０）と前記第二突出部（２２２）とは、前記第一凹入部（２４６）と前記第二凹入部（２４８）とに類似する弧型輪郭を有し、前記第三突出部（２２４）は、前記第三凹入部（２２４）に類似する弧型輪郭を有することを特徴とする請求項１乃至４のいずれかに記載の自己調整軸受（２００）。
【請求項６】
第二取付け部材（２２６）は、前記第一突出部（２２０）、前記第二突出部（２２２）及び前記第三突出部（２４４）を貫通するように延び、前記凸型ブロック（２１０）及び前記凹型ブロック（２４０）は、前記第二取付け部材（２２６）を回って相互相対に回転することを特徴とする請求項１乃至５のいずれかに記載の自己調整軸受（２００）。
【請求項７】
前記第一突出部（２２０）と前記第二突出部（２２２）とは、それぞれ相互合わせられた位置決め溝（２１６、２１８）を有し、前記第三突出部（２４４）は、位置決め孔（２５２、２５４）を有し、前記位置決め孔（２５２、２５４）を貫通するように延びた位置決め部材は、スライド可能に前記位置決め溝（２１６、２１８）に収容され、前記位置決め部材が締められる場合、前記凸型ブロック（２１０）と前記凹型ブロック（２４０）との相対位置が固定されることを特徴とする請求項１乃至６のいずれかに記載の自己調整軸受（２００）。
【請求項８】
前記第一突出部（２２０）と前記第二突出部（２２２）とは、それぞれ相互合わせられた位置決め孔（２５２、２５４）を有し、前記第三突出部（２４４）は、位置決め溝（２１６、２１８）を有し、前記位置決め孔（２５２、２５４）を貫通するように延びた位置決め部材は、スライド可能に前記位置決め溝（２１６、２１８）に収容され、前記位置決め部材が締められる場合、前記凸型ブロック（２１０）と前記凹型ブロック（２４０）との相対位置が固定されることを特徴とする請求項１乃至４のいずれかに記載の自己調整軸受（２００）。
【請求項９】
前記位置決め孔（２５２、２５４）は、前記第一部材の回転軸線から同様の直径方向の距離を有する二つの位置決め孔（２５２、２５４）であり、前記位置決め溝（２１６、２１８）は、前記第一部材の回転軸線から同様の直径方向の距離を有する二つの位置決め溝（２１６、２１８）であることを特徴とする請求項７又は８に記載の自己調整軸受（２００）。
【請求項１０】
前記ローラー（２０２）は、円錐型であり、前記ローラー（２０２）の円錐角は、前記ローラー（２０２）と前記回転ドラム（１０４）との間に回転摩擦を有するように設定されることを特徴とする請求項１乃至９のいずれかに記載の自己調整軸受（２００）。
【請求項１１】
ＣＴスキャンフレーム（１００）であって、
主フレーム（１０２）と、回転ドラム（１０４）と、請求項１から１０のいずれかの一項に記載された自己調整軸受（２００）とを有し、前記自己調整軸受（２００）は、前記ＣＴスキャンフレーム（１００）の主フレーム（１０２）に取り付けられて、前記ＣＴスキャンフレーム（１００）の回転ドラム（１０４）を支持することを特徴とするＣＴスキャンフレーム（１００）。
【請求項１２】
前記ＣＴスキャンフレーム（１００）は、更に固定式軸受（３００）を有し、前記固定式軸受（３００）は、前記主フレーム（１０２）に配置され、かつ前記回転ドラム（１０４）における前記自己調整軸受（２００）と相対する一側に位置することを特徴とする請求項１１に記載のＣＴスキャンフレーム（１００）。
【請求項１３】
前記ＣＴスキャンフレーム（１００）は、二つの前記自己調整軸受（２００）を有する第一軸受対（４００）と、それぞれ一つの前記自己調整軸受（２００）と一つの前記固定式軸受（３００）とを有する第二軸受対（５００）及び第三軸受対（６００）を含むことを特徴とする請求項１２に記載のＣＴスキャンフレーム（１００）。
【請求項１４】
前記回転ドラム（１０４）は、前記自己調整軸受（２００）のローラー（２０２）を案内する斜切れ縁部（１２２）を有することを特徴とする請求項１１又は１２に記載のＣＴスキャンフレーム（１００）。
【請求項１５】
前記回転ドラム（１０４）は、外周縁部（１２０）に配置された駆動表面（１１８）を有し、前記駆動表面（１１８）は、前記回転ドラム（１０４）を駆動する駆動ベルト（１１２）と接することを特徴とする請求項１１又は１４に記載のＣＴスキャンフレーム（１００）。
【請求項１６】
前記ＣＴスキャンフレーム（１００）は、更に前記主フレーム（１０２）に取り付けられた安全フレーム（１１８）を含み、前記自己調整軸受（２００）が故障された場合、前記回転ドラム（１０４）を保持することを特徴とする請求項１１又は１２に記載のＣＴスキャンフレーム（１００）。
【請求項１７】
前記ＣＴスキャンフレーム（１００）は、更に前記主フレーム（１０２）に取り付けられた軸受支持フレーム（１１４）を含み、前記自己調整軸受（２００）は、前記軸受支持フレーム（１１４）の傾斜表面（１１６）に取り付けられることを特徴とする請求項１１又は１２に記載のＣＴスキャンフレーム（１００）。
【請求項１８】
ＣＴシステム（１０）であって、
請求項１から１０のいずれかの一項に記載された自己調整軸受（２００）又は請求項１１から１７のいずれかの一項に記載されたＣＴスキャンフレーム（１００）を有することを特徴とするＣＴシステム（１０）。